(57)【要約】【課題】サイズが異なる遊戯台でも容易に対応して装着することができる。遊戯台の固定作業が極めて容易に行える。【解決手段】遊戯台Ｐの上端縁Ｐ１を前後で圧着する上部固定手段を設ける。前記台装着枠体１の下枠部３に設けられ、載置した遊戯台Ｐの下端縁Ｐ２を係止する下部固定手段を設ける。これら上部固定手段と下部固定手段とを連動せしめる連動手段を設ける。連動手段は、上部固定手段と下部固定手段との間に介する連動装置３０とする。台装着枠体１の前面に電動ドライバーＱの先端を挿入して連動装置３０に電動ドライバーＱの回転力を伝達するドライバー挿入口４１を設ける。【選択図】  図１
2005278963.tif 000002
【特許請求の範囲】
【請求項１】
遊戯用の島に遊戯台を着脱自在に装着する台装着枠体と、該台装着枠体の内部に装着した遊戯台の上端縁と下端縁とを夫々固定する固定手段とを設け、該固定手段は、前記台装着枠体の上枠部に設けられ、遊戯台の上端縁を前後で圧着する上部固定手段と、前記台装着枠体の下枠部に設けられ、載置した遊戯台の下端縁を係止する下部固定手段と、これら上部固定手段と下部固定手段とを連動せしめる連動手段とからなる遊戯台用取付装置において、連動手段は、上部固定手段と下部固定手段との間に介する連動装置とし、台装着枠体の前面に電動ドライバーの先端を挿入して連動装置に電動ドライバーの回転力を伝達するドライバー挿入口を設けたことを特徴とする遊戯台用取付装置。
【請求項２】
前記連動装置は、電動ドライバーの先端に連結する駆動軸と、該駆動軸に連動する垂直軸と、該垂直軸から前記上部固定手段に連結される連結軸と、前記下部固定手段に連結される連結軸とが夫々リンクするように設け、連結軸と上部固定手段との間に安全装置としてのトルクリミッターを配した請求項１記載の遊戯台用取付装置。
【請求項３】
前記ドライバー挿入口を開閉してドライバー挿入口の不正使用を防止するシャッター装置を設け、該シャッター装置は、前記上部固定手段を被覆する上下動自在な上部カバーに連動する開閉板と、該開閉板の不正開放を防止するストッパーとが設けられ、該ストッパーの解除動作を前記上部カバーに連動させて前記ドライバー挿入口を開閉するように設けた請求項１又は２記載の遊戯台用取付装置。
【発明の詳細な説明】
【技術分野】
【０００１】
本発明は、遊戯場に回胴式遊技機（スロット）等の遊戯台を装着する遊戯台用取付装置に係るもので、特に、サイズが異なる遊戯台でも容易に装着することができる遊戯台用取付装置に関する。
【背景技術】
【０００２】
当発明者は、特許文献１に記載の如く、パチンコ台の装着作業や取付け後のパチンコ台の微調整を容易ならしめるパチンコ台取付装置を先に発明している。この発明では、パチンコ台の装着作業及び取り外し作業が極めて容易になり、しかも、取付後のパチンコ台の盤面を調整する際に、熟練した技術を要せずとも合理的で効果的な調整ができるようにしている。すなわち、パチンコ台の上端縁と下端縁とを挟着固定する固定装置を設けたパチンコ台取付装置において、固定装置を、台装着枠体の上端部に設けたクランプ体に連結する。そして、クランプレバーの操作によって上下し、台装着枠体の上端部からパチンコ台側に突出してパチンコ台を圧着する圧着突起を設けた圧着固定装置を装着し、台装着枠体の内部に位置決めされたパチンコ台を、この圧着固定装置によって、台装着枠体と一体になるように圧着固定するものである。
【０００３】
一方、スロットマシーンやパチスロと称する回胴式遊技機は、各遊技機の種類やメーカーにより、サイズが異なることが知られている。例えば、特許文献２に、記載されているスロットマシーンでは、操作台に組み込まれる操作ユニットの装着や組み替えを容易にするスロットマシーン型遊技機の操作ユニットが記載されている。
【特許文献１】特許第３２７５１６２号公報
【特許文献２】特開２００２−１７７４４０号公報
【発明の開示】
【発明が解決しようとする課題】
【０００４】
特許文献１の先の発明により、パチンコ台の装着作業や取付け後のパチンコ台の微調整が極めて容易に行えるようになっている。ところが、スロットマシーンやパチスロと称する回胴式遊技機に十分対応できるものではなかった。すなわち、前述の特許文献２の如く、操作台に組み込まれる操作ユニットの装着や組み替えを可能にした遊戯台と、そうでない遊戯台とでは、自ずと遊戯台のサイズが異なるものである。特に、機種やメーカーによって、遊戯台の厚みが異なることが多い。例えば、遊戯台の底部の厚みが上部の厚みよりも厚く形成された台形状の遊戯台や、底部と上部の厚みが同じ厚みに形成された遊戯台などが種々使用されている。
【０００５】
しかも、特許文献２に記載された操作台に組み込まれる操作ユニットの装着や組み替えを可能にした回胴式遊技機では、交換可能な回胴式遊技機の機種が、この操作台に組み込まれる機種に限定されると共に、各操作台に操作ユニットを組み込む作業に多くの手間を要するものである。
【０００６】
そこで、本発明は上述の課題を解消すべく創出されたもので、スロットマシーンやパチスロと称する回胴式遊技機を台装着枠体に組み込む際に、遊戯台の固定作業が極めて容易に行うことができ、しかも、サイズや形状が異なる各種の遊戯台でも容易に対応して装着することが可能な遊戯台用取付装置の提供を目的とするものである。
【課題を解決するための手段】
【０００７】
上述の目的を達成すべく本発明の第１の手段は、遊戯用の島に遊戯台Ｐを着脱自在に装着する台装着枠体１と、該台装着枠体１の内部に装着した遊戯台Ｐの上端縁Ｐ１と下端縁Ｐ２とを夫々挟着固定する固定手段とを設け、該固定手段は、前記台装着枠体１の上枠部２に設けられ、遊戯台Ｐの上端縁Ｐ１を前後で圧着する上部固定手段と、前記台装着枠体１の下枠部３に設けられ、載置した遊戯台Ｐの下端縁Ｐ２を係止する下部固定手段と、これら上部固定手段と下部固定手段とを連動せしめる連動手段とからなる遊戯台用取付装置において、連動手段は、上部固定手段と下部固定手段との間に介する連動装置３０とし、台装着枠体１の前面に電動ドライバーの先端を挿入して連動装置３０に電動ドライバーの回転力を伝達するドライバー挿入口４１を設けたことにある。
【０００８】
第２の手段において、前記連動装置３０は、電動ドライバーの先端に連結する駆動軸３１と、該駆動軸３１に連動する垂直軸３２と、該垂直軸３２から前記上部固定手段に連結される連結軸３３と、前記下部固定手段に連結される連結軸３４とが夫々リンクするように設け、連結軸３４と上部固定手段との間に安全装置としてのトルクリミッター３６を配している。
【０００９】
第３の手段によると、ドライバー挿入口４１を開閉してドライバー挿入口４１の不正使用を防止するシャッター装置４０を設けたものであり、該シャッター装置４０は、前記上部固定手段を被覆する上下動自在な上部カバー４に連動する開閉板４１と、該開閉板４１の不正開放を防止するストッパー４２とが設けられ、該ストッパー４２の解除動作を前記上部カバー４に連動させて前記ドライバー挿入口３１を開閉するように設けたことを課題解消のための手段とする。
【発明の効果】
【００１０】
本発明の請求項１により、電動ドライバーの回転力を伝達する連動装置３０を上部固定手段と下部固定手段との間に介し、台装着枠体１の前面に電動ドライバーの先端を挿入して連動装置３０を操作せしめるドライバー挿入口３１を設けたことにより、遊戯台の固定作業が極めて容易に行えるものである。
【００１１】
請求項２の連動装置３０において、電動ドライバーの先端に連結する駆動軸３１と、該駆動軸３１に連動する垂直軸３２と、該垂直軸３２から前記上部固定手段に連結される連結軸３３と、前記下部固定手段に連結される連結軸３４とが夫々べベルギヤ３５にてリンクするように設け、連結軸３４と上部固定手段との間に安全装置としてのトルクリミッター３６を配したことにより、特に前後へのスライド調整幅を広くすることが可能になり、スロットマシーンやパチスロと称する回胴式遊技機を台装着枠体に組み込む際に、サイズや形状が異なる遊戯台でも容易に対応して装着することができる。
【００１２】
請求項３により、ドライバー挿入口３１に、該ドライバー挿入口を開閉するシャッター装置４０を設けることで、ドライバー挿入口３１の不正使用を防止できる。また、上部固定手段を被覆する上下動自在な上部カバー４に連動する開閉板４２と、該開閉板４２の不正開放を防止するストッパー４３とが設けられ、該ストッパー４３の解除動作を前記上部カバー４に連動させて前記ドライバー挿入口４１を開閉するように設けたことにより、台装着枠体１の前面に設けたドライバー挿入口４１を悪戯されることなく、遊戯台の固定作業時のみに調整作業を行えるものになる。
【００１３】
このように本発明によると、スロットマシーンやパチスロと称する回胴式遊技機を台装着枠体に組み込む際に、遊戯台の固定作業が極めて容易に行うことができ、しかも、サイズや形状が異なる遊戯台でも容易に対応して装着することが可能であるなどといった有益な種々の効果を奏するものである。
【発明を実施するための最良の形態】
【００１４】
本発明によると、連動装置３０を上部固定手段と下部固定手段との間に介し、台装着枠体１の前面に電動ドライバーの先端を挿入して連動手段に電動ドライバーの回転力を伝達するドライバー挿入口４１を設ける。該ドライバー挿入口４１を開閉してドライバー挿入口４１の不正使用を防止するシャッター装置４０を設ける。電動ドライバーの先端に連結する駆動軸３１と、該駆動軸３１に連動する垂直軸３２と、該垂直軸３２から前記上部固定装置１０に連結される連結軸３３と、前記下部固定装置２０に連結される連結軸３４とが夫々リンクするように設け、連結軸３４と上部固定手段との間に安全装置としてのトルクリミッター３６を配する。台装着枠体１の上部に設けた上部固定手段を被覆する上下動自在な上部カバー４に連動して前記ドライバー挿入口４１を開閉するようにシャッター装置４０を設けることで当初の目的を達成するものである。
【実施例】
【００１５】
以下、本発明の実施の形態を説明する。本発明の基本構成は、台装着枠体１と該台装着枠体１に装着した上下の固定手段と連動装置３０とからなる。
【００１６】
台装着枠体１は、遊戯用島に着脱自在に装着する枠体で、内部に回胴式遊技機等の遊戯台Ｐを装着する（図１参照）。この台装着枠体１には、台装着枠体１の内部に装着した遊戯台Ｐの上端縁Ｐ１と下端縁Ｐ２とを夫々固定する上部固定手段と下部固定手段とを設けている。
【００１７】
上部固定手段は遊戯台Ｐ上端縁Ｐ１を固定するもので、上枠部２に装着している。一方、下部固定手段は遊戯台Ｐ下端縁Ｐ２の前後の位置を固定するもので、下枠部３に装着する。そして、連動装置３０がこれら上部固定手段と下部固定手段とを連動せしめるものである（図２参照）。
【００１８】
上部固定手段は、台装着枠体１の上枠部２から下降して、台装着枠体１の内部に装着した遊戯台Ｐ上端部の前面に係止する係止装置２０と、遊戯台Ｐの上端部の後面に係止する圧着装置１０とを連動させた装置である（図３参照）。これら圧着装置１０と係止装置２０とによって遊戯台Ｐの上端部が台装着枠体１に固定される。図示の圧着装置１０は、後述する連動装置３０に連動する駆動ボルト１１の回転に伴なって前後移動するスライド体１２を設け、該スライド体１２から左右に延びる一対の連結バー１３と、該連結バー１３の屈曲された端部から鉛直下方に垂設されて遊戯台Ｐ上端部後面に係止する係止突起１４とを設けている（図２参照）。
【００１９】
一方、係止装置２０は、前記駆動ボルト１１の回転に伴なって前後移動し、この前後移動を左右方向への往復運動に変換するクランク体２１と、該クランク体２１に連動して左右にスライドするスライドバー２２と、スライドバー２２から遊戯台Ｐ方向に突出して遊戯台Ｐの上端部前面に係止する係止体２３とを設けている（図３参照）。図示の係止体２３は、台装着枠体１の上枠部３に止着ピン２３Ａで回転自在に止着された係止片２３Ｂの上端部を、スライドバー２２に開穿した開口部２２Ａに挿入し、この上端部が左右いずれかに押圧されて係止片２３Ｂが回転したときに、係止片２３Ｂが遊戯台Ｐ上端部方向に突出する構造を成している。このとき係止体２３の上部は、引張コイルバネ２４で引き寄せられ、係止片２３Ｂの下端部が垂直下方を向くように設定してあり、スライドバー２２の移動で引張コイルバネ２４の付勢力に抗しながら係止片２３Ｂの下端部を略水平に保つようにしている（図４参照）。また、スライドバー２２には、遊戯台Ｐの上端面を押圧するクランク形状の押圧体２５と、左右の係止体２３に架設して係止体２３の移動と共に遊戯台Ｐの上端面を押圧する押圧杆２６とを設けている（図５参照）。
【００２０】
下部固定手段は、下枠部３に設けられている。この下部固定手段は、後述する連動手段に連動する駆動ボルト５１の回転に伴なって前後移動するスライド体５２と、該スライド体５２から左右に延びる一対の連結バー５３と、該連結バー５３の屈曲された端部から鉛直上方に垂設されて遊戯台Ｐ下端部後面に係止する係止突起５４とからなる下部固定装置５０を設けている（図２参照）。この下部固定装置５０によって遊戯台Ｐの下端部後面を押圧する。また、下枠部３には、遊戯台Ｐを着脱する際に、遊戯台Ｐの導入や取外しを容易にするためのボールコロ３Ａを埋設している。
【００２１】
連動装置３０は、上部固定手段と下部固定手段との間に介してこれらを連動せしめるものである（図２参照）。また、台装着枠体１の前面にドライバー挿入口４１を設け、このドライバー挿入口４１に挿入した電動ドライバーＱの先端で、連動装置３０に電動ドライバーＱの回転力を伝達している（図１参照）。該連動装置３０は、電動ドライバーＱの先端に連結する駆動軸３１と、該駆動軸３１に連動する垂直軸３２と、該垂直軸３２から前記圧着装置１０の駆動ボルト１１に連結される連結軸３３と、下部固定装置５０の駆動ボルト５１とに連結される連結軸３４とが夫々、各べベルギヤ３５にてリンクしている（図２参照）。更に、連結軸３４と上部固定手段との間に安全装置としてのトルクリミッター３６を配している。このトルクリミッター３６により、過剰な回転が圧着装置１０や係止装置２０に伝わらずに済み、遊戯台Ｐの損傷を防止するものである。
【００２２】
シャッター装置４０は、ドライバー挿入口４１を開閉してドライバー挿入口４１の不正使用を防止する装置である。該シャッター装置４０には、開閉板４２とストッパー４３とが設けられている（図６参照）。これら開閉板４２、ストッパー４３は、いずれも、上部カバー４に連動するように設けている（図１参照）。すなわち、この上部カバー４は、前記台装着枠体１の上部に設けられ、上部固定装置１０を被覆するもので、遊戯台Ｐの設置作業に際して上下動せしめるものである。図示例では、上部カバー４に連結コイルバネ５を介して連動する移動枠体４４を設けている（図６参照）。また、開閉板４２には係止杆４２Ｂを突設してあり、上部カバー４を上方に持ち上げたときに、移動枠体４４が係止杆４２Ｂを持ち上げることで開閉板４２がせりあがる構成を成している（図７参照）。そして、開閉板４２に開穿した開口部４２Ａが、台装着枠体１の前面にドライバー挿入口４１と一致したときに、連動装置３０の駆動軸３１に、電動ドライバーＱの先端が連結可能になるものである（図８参照）。
【００２３】
一方、ストッパー４３は、この開閉板４２が不正に開閉できないようにするものである（図６参照）。図示のストッパー４３は、駆動軸３１に揺動自在に設けたもので、開閉板４２に突設した係止杆４２Ｂに着脱自在に係合するものである（図９参照）。このフック４３Ａは、更に上部カバー４に連動する移動枠体４４に連結されており、移動枠体４４が上方へ移動すると、フック４３Ａが回転し、係止杆４２Ｂから外れる。その後、更に移動枠体４４が持ちあがると、開閉板４２がせり上がり、開口部４２Ａがドライバー挿入口４１と一致するものとなる（図８参照）。尚、フック４３Ａには、一対のコイルバネ４５を上下方向に配してあり、移動枠体４４が下がったときに、フック４３Ａが揺動して再び係止杆４２Ｂに係止するように設けている（図９参照）。
【００２４】
尚、本発明取付装置の実施例は図示例に限定されるものではなく、各手段や構成部位における形状、寸法や形態等の設計変更など、本発明の技術的思想を逸脱しない範囲で自由に変更することができるものである。
【図面の簡単な説明】
【００２５】
【図１】本発明の一実施例を示す要部斜視図。
【図２】本発明の一実施例を示す一部省略要部斜視図。
【図３】本発明の上部固定手段を示す要部斜視図。
【図４】本発明の係止体を示す部分正面図。
【図５】本発明の押圧体を示す部分正面図。
【図６】本発明のシャッター装置を示す要部斜視図。
【図７】本発明のシャッター装置を示す要部側断面図。
【図８】本発明のシャッター装置を示す要部側断面図。
【図９】本発明のストッパーを示す要部斜視図。
【符号の説明】
【００２６】
Ｐ  遊戯台            Ｐ１  上端縁  
Ｐ２  下端縁
Ｑ  電動ドライバー
１  台装着枠体
２  上枠部
３  下枠部            ３Ａ  ボールコロ
４  上部カバー
５  連結コイルバネ
１０  圧着装置
１１  駆動ボルト
１２  スライド体
１３  連結バー
１４  係止突起
１５  ロック用突起
２０  係止装置
２１  クランク体
２２  スライドバー      ２２Ａ  開口部
２３  係止体            ２３Ａ  止着ピン
２３Ｂ  係止片
２４  引張コイルバネ
２５  押圧体
２６  押圧杆            ２６Ａ  長孔
３０  連動装置
３１  駆動軸
３２  垂直軸            ３２Ａ  シャフト
３３  連結軸
３４  連結軸
３５  べベルギヤ
３６  トルクリミッター
４０  シャッター装置
４１  ドライバー挿入口
４２  開閉板                ４２Ａ  開口部
４２Ｂ  係止杆
４３  ストッパー            ４３Ａ  フック
４４  移動枠体
４５  コイルバネ
５０  下部固定装置
５１  駆動ボルト
５２  スライド体
５３  連結バー
５４  係止突起
【図１】
2005278963.tif 000003
【図２】
2005278963.tif 000004
【図３】
2005278963.tif 000005
【図４】
2005278963.tif 000006
【図５】
2005278963.tif 000007
【図６】
2005278963.tif 000008
【図７】
2005278963.tif 000009
【図８】
2005278963.tif 000010
【図９】
2005278963.tif 000011